(57)【特許請求の範囲】
【請求項１】
一端側に切断刃を有し他端側に把持部を有した一対の刃体を上記切断刃を対向させて互いに開閉可能になるように該刃体を重ねかつ回動軸で軸支してなるはさみに設けられ、上記刃体の開閉によって切断された切屑を収納するはさみ用切屑収納装置において、
上記一対の刃体のうち下側に位置する刃体に付帯されるとともに該付帯位置で上記一対の刃体のうち上側に位置する刃体の閉時の切断刃に沿って該切断刃に対峙する開口を有し該切断刃によって切断された切屑を収納する袋状のケースと、上記ケースの基端部に設けられ該ケースが上記下側に位置する刃体に付帯する付帯位置及び該付帯位置から離間した離間位置の二位置に移動可能になるように上記はさみの回動軸に回動可能に係合する係合部と、該ケースを上記付帯位置に解除可能に保持するストッパとを備え、
上記ケースを、開口縁の下側縁が、上記下側に位置する刃体の切断刃と反対側の背部に当接するように形成し、
上記ケースを、該ケースの付帯位置における上記回動軸の軸線に直交する平面図上、上記ケースの開口縁の上側縁に対応する線（Ｐ）が、上記下側に位置する刃体の切断刃よりも該下側に位置する刃体の切断刃と反対側の背部側に位置するように形成したことを特徴とするはさみ用切屑収納装置。
【請求項２】
上記ケースの下面を、上記下側に位置する刃体の上記背部に隣接する下側の外面に沿う面より下方に突出しないように形成したことを特徴とする請求項１記載のはさみ用切屑収納装置。
【請求項３】
上記ストッパを、上記ケースの基端部に撓み可能に延設された舌片と、該舌片に突設され上記ケースの付帯位置における上記舌片の非撓み時にはさみに係止され撓み時に係止解除される突出部とを備えて構成したことを特徴とする請求項１または２記載のはさみ用切屑収納装置。
【請求項４】
上記ストッパを、上記はさみの刃体の外側に撓み可能に設けられた舌片と、該舌片に突設され上記ケースの付帯位置における上記舌片の非撓み時にケース側に係止され撓み時に係止解除される突出部とを備えて構成したことを特徴とする請求項１または２記載のはさみ用切屑収納装置。
【請求項５】
上記ケースに、上記ケースの離間位置において、上記はさみの刃体が開いたとき、上記上側に位置する刃体によって押圧されて該ケースを付帯位置に位置させる当接部を設けたことを特徴とする請求項１，２，３または４記載のはさみ用切屑収納装置。
【請求項６】
上記ケースを、透明もしくは半透明の材料で形成したことを特徴とする請求項１，２，３，４または５記載のはさみ用切屑収納装置。
【発明の詳細な説明】
【０００１】
【発明の属する技術分野】
本発明は、開閉させられて爪等のものを切断するはさみに設けられ切断された切屑を収納するはさみ用切屑収納装置に関する。
【０００２】
【従来の技術】
従来、この種のはさみ用切屑収納装置としては、例えば、実開昭６０−１０９５７３号公報に掲載されたものが知られている。
このはさみ用切屑収納装置は、切断された切屑を収納する袋状のケースと、該ケースに設けられはさみの一対の刃体のうち下側に位置する刃体に磁着するマグネットとを備えて構成されている。
そして、例えば、人間の爪を切断する際で説明すると、使用時には、ケースの開口が一対の刃体のうち上側に位置する刃体の閉時の切断刃に沿って対峙するように、マグネットを下側に位置する刃体に磁着して、ケースを取付ける。この状態で、はさみを開閉させて爪を切断すると、切断された爪の切屑が上側に位置する刃体で押し込まれるようにしてケース内に収納されていく。
また、ケース内の切屑を捨てるときは、マグネットを下側に位置する刃体から外してケースを外し、ごみ箱等に捨てるようにする。
【０００３】
【発明が解決しようとする課題】
ところで、このような従来のはさみ用切屑収納装置にあっては、マグネットで取付け取外しを行なうようにしているので、ケース内の切屑を容易に捨てることができるというメリットはあるが、はさみの開閉動作中に手がケースに触れる等すると容易に動き易く、その場合には、ケースの開口位置がずれて、切屑がうまくケース内に入らずに周辺に飛び散ってしまうことがあるという問題があった。
また、マグネットで取付けているので、はさみが磁着性の金属でない場合には、ケースを取付けることができないという問題もある。
本発明は上記の問題点に鑑みて為されたもので、はさみの開閉動作中にケースが位置ずれしないようにするとともに、ケース内の切屑を容易に捨てることができるようにしたはさみ用切屑収納装置を提供することを目的とする。
【０００４】
【課題を解決するための手段】
このような目的を達成するため、本発明のはさみ用切屑収納装置は、一端側に切断刃を有し他端側に把持部を有した一対の刃体を上記切断刃を対向させて互いに開閉可能になるように該刃体を重ねかつ回動軸で軸支してなるはさみに設けられ、上記刃体の開閉によって切断された切屑を収納するはさみ用切屑収納装置において、上記一対の刃体のうち下側に位置する刃体に付帯されるとともに該付帯位置で上記一対の刃体のうち上側に位置する刃体の閉時の切断刃に沿って該切断刃に対峙する開口を有し該切断刃によって切断された切屑を収納する袋状のケースと、上記ケースの基端部に設けられ該ケースが上記下側に位置する刃体に付帯する付帯位置及び該付帯位置から離間した離間位置の二位置に移動可能になるように上記はさみの回動軸に回動可能に係合する係合部と、該ケースを上記付帯位置に解除可能に保持するストッパとを備えた構成としている。
【０００５】
そして、上記ケースを、開口縁の下側縁が、上記下側に位置する刃体の切断刃と反対側の背部に当接するように形成し、
上記ケースを、該ケースの付帯位置における上記回動軸の軸線に直交する平面図上、上記ケースの開口縁の上側縁に対応する線（Ｐ）が、上記下側に位置する刃体の切断刃よりも該下側に位置する刃体の切断刃と反対側の背部側に位置するように形成している。
そしてまた、必要に応じ、上記ケースの下面を、上記下側に位置する刃体の上記背部に隣接する下側の外面に沿う面より下方に突出しないように形成した構成としている。
【０００６】
また、必要に応じ、上記ストッパを、上記ケースの基端部に撓み可能に延設された舌片と、該舌片に突設され上記ケースの付帯位置における上記舌片の非撓み時にはさみに係止され撓み時に係止解除される突出部とを備えて構成している。
更に、必要に応じ、上記ストッパを、上記はさみの刃体の外側に撓み可能に設けられた舌片と、該舌片に突設され上記ケースの付帯位置における上記舌片の非撓み時にケース側に係止され撓み時に係止解除される突出部とを備えて構成している。
【０００７】
更にまた、必要に応じ、上記ケースに、上記ケースの離間位置において、上記はさみの刃体が開いたとき、上記上側に位置する刃体によって押圧されて該ケースを付帯位置に位置させる当接部を設けた構成としている。
また、上記ケースを、透明もしくは半透明の材料で形成した構成としている。
【０００８】
【発明の実施の形態】
以下、添付図面に基づいて、本発明の実施の形態に係るはさみ用切屑収納装置について詳細に説明する。尚、上記と同様のものには同一の符号を付して説明する。
図１乃至図６には、第一の実施の形態に係るはさみ用切屑収納装置Ｋを示している。この実施の形態に係るはさみ用切屑収納装置Ｋが適用されるはさみＳは、乳幼児の爪切用であって右手用のはさみであり、図１乃至図６に示すように、一端側に金属製の切断刃２を有し他端側に把持部３を有した一対の刃体１を切断刃２を対向させて互いに開閉可能になるように、刃体１を重ねかつ回動軸４で軸支して構成されている。回動軸４は刃体１から僅かに突出している。刃体１は、先端側が上側に湾曲している。また、把持部３は、プラスチックで形成されており、指を通すことが可能なようにリング状に形成されている。また、把持部３の回動軸４側には、回動軸４側に開放する凹所５が設けられている。
【０００９】
第一の実施の形態に係るはさみ用切屑収納具Ｋは、全体が樹脂で形成されおり、ケース１０と、係合部１３と、ストッパ２０とから構成されている。
ケース１０は、透明もしくは半透明の樹脂材料で形成されており、はさみＳの一対の刃体１のうち下側に位置する刃体１（Ａ）に付帯されるとともに、この付帯位置Ｆで一対の刃体１のうち上側に位置する刃体１（Ｂ）の閉時の切断刃２に沿って対峙する開口１１を有し、切断刃２によって切断された切屑を収納する袋状に形成されている。
【００１０】
付帯位置Ｆにおいては、図４（ｂ）及び図５（ｂ）に示すように、ケース１０の付帯位置Ｆにおける回動軸４の軸線に直交する平面図（図５（ｂ））上、ケース１０の開口１１縁の上側縁１１ａに対応する線Ｐが下側に位置する刃体１の切断刃２よりも寸法ｅだけ該切断刃２の反対側の背部６がわに位置するように形成され、切断刃２よりも突出しないように形成されている。また、この上側縁１１ａは、図５（ｂ）に示すように、一般部よりも開口１１の内側に傾斜形成されており、開口１１の幅Ｄが調節されている。即ち、開口１１は、爪が入り得る最小限の幅Ｄに形成され、内部ができるだけ広くなるようにしている。開口１１の幅Ｄは、重ね合わせられた一対の刃体１の厚さと同じもしくは、それよりも僅かに大きく設定されている。その間隔Ｃは、例えば、Ｃ＝０〜０．５ｍｍ程度が望ましい。これ以上であると、刃体１が閉じているときに切屑が飛び出ることがある。
【００１１】
また、付帯位置Ｆにおいては、図４（ｂ）に示すように、ケース１０の開口１１縁の下側縁１１ｂは、はさみＳの下側に位置する刃体１（Ａ）の切断刃２と反対側の背部６に当接するように形成されている。
更に、図４（ｂ）に示すように、ケース１０の下面１２は、下側に位置する刃体１（Ａ）の背部６に隣接する下側の外面１ａに沿う面より下方に突出しないように形成されている。実施の形態においては、面一に形成されている。
【００１２】
係合部１３は、ケース１０の基端部に刃体１を挟む一対の突片１４を有し、この突片１４に、はさみＳの回動軸４の突出した部分に回動可能に係合する係合孔１５を有している。そして、この回動によって、ケース１０が下側に位置する刃体１（Ａ）に付帯する付帯位置Ｆ（図３及び図５）及び付帯位置Ｆから離間した離間位置Ｒ（図６）の二位置に移動可能になるようにしている。
【００１３】
ストッパ２０は、ケース１０を付帯位置Ｆに解除可能に保持するものである。このストッパ２０は、ケース１０の基端部に突設された係合部１３の下側の突片１４に撓み可能に延設された舌片２１と、図４（ｃ）に示すように、舌片２１に突設されケース１０の付帯位置Ｆにおける舌片２１の非撓み時に、はさみＳに形成された凹所５に嵌合して係止されるとともに、舌片２１の外側への撓み時に、係止解除される突出部２２とを備えて構成されている。舌片２１の基端部は、樹脂ヒンジ２３を構成し、撓み易いように薄肉に形成されている。突出部２２には、凹所５に係合し易くするために、斜めに削ったコーナ部２２ａが設けられている。
また、ケース１０の背部６の係合部１３がわ端部は、図２（ｂ），図５及び図６に示すように、ケース１０の離間位置Ｒ（図５）において、はさみＳの刃体１が開いたとき、上側に位置する刃体１（Ｂ）によって押圧されてケース１０を付帯位置Ｆに位置させる当接部１６として構成されている。
【００１４】
従って、この実施の形態に係るはさみ用切屑収納具ＫをはさみＳに装着するときは、先ず、図６に示すように、係合部１３の突片１４の係合孔１５を回動軸４の突出した部位に係合する。次に、図５に示すように、はさみＳの刃体１同士を開く。これにより、上側に位置する刃体１（Ｂ）がケース１０の当接部１６に当接して、ケース１０を押圧し、離間位置Ｒから付帯位置Ｆに位置させる。この場合、ストッパ２０の舌片２１が撓むので、突出部２２がはさみＳの凹所５を形成する部分を乗り越えて、はさみＳの凹所５に嵌合し、付帯位置Ｆに位置決め保持される。そのため、ケース１０が付帯位置Ｆに容易に位置させられ取付け作業性が極めて良くなる。
【００１５】
次に、このこの状態で、切屑収納具Ｋを装着したはさみＳを使用して爪を切るときは、図５に示すように、はさみＳの刃体１同士を開閉して行なう。これにより、切断された爪の切屑が上側に位置する刃体１（Ｂ）で押し込まれるようにして開口１１からケース１０内に収納されていく。
この場合、ケース１０は、ストッパ２０によって付帯位置Ｆに保持されているので、即ち、ストッパ２０の舌片２１に突設された突出部２２がはさみＳに形成された凹所５に嵌合して係止されているので、はさみＳの開閉動作中に手がケース１０に触れる等しても、容易に動くことがなく、そのため、ケース１０の開口１１位置がずれて、切屑がうまくケース１０内に入らずに周辺に飛び散ってしまう事態が防止され、切屑が確実に受けられてケース１０内に収納される。
また、ケース１０の下面１２は、下側に位置する刃体１（Ａ）の外面に沿う面より突出しないように形成されているので、開閉動作によって爪の周囲の指に引っ掛かることがなく、円滑に開閉動作が行なわれる。
【００１６】
更に、ケース１０の付帯位置Ｆにおける回動軸４の軸線に直交する平面図（図５（ｂ））上、ケース１０の開口１１縁の上側縁１１ａに対応する線Ｐが下側に位置する刃体１の切断刃２よりも突出しないように形成されているので、切断された切屑が切断刃２と開口１１縁との間に挟まりにくく、そのため、切屑が確実に受けられてケース１０内に収納される。尚、ケース１０の付帯位置Ｆにおける回動軸４の軸線に直交する平面図（図５（ｂ））上、ケース１０の開口１１縁の上側縁１１ａに対応する線Ｐが下側に位置する刃体１の切断刃２よりも出っ張る場合には、切屑が挟まることがしばしば生じる。
【００１７】
ケース１０内に切屑が溜ったならば、適時にこれをごみ箱等に捨てれば良い、この場合、ケース１０は、透明もしくは半透明に形成されているので、切屑の収納量を目視で知ることができ、容易に、捨てる時期を知ることができる。また、汚れの程度を知って、拭き取る等の掃除を行なうことができるので、清潔に保持することができる。
切屑をケース１０から捨てるときは、以下のようにする、先ず、図４（ｃ）に示すように、ストッパ２０の舌片２１を外側に撓ませ、この状態で、図６に示すように、舌片２１を介してケース１０を回動させる。これにより、ケース１０が離間位置Ｒに位置させられて開口１１が大きく開くことになるとともに、刃体１から離間して開口１１の前に邪魔になるものがないので、切屑が容易に捨てられる。この場合、ストッパ２０を解除してケース１０を回動させるだけで、切屑を捨てることができるので、操作が極めて簡単に行なわれ、作業性が良くなる。
また、ケース１０を離間位置Ｒにすれば、刃体１が露出するので、拭き取る等の掃除がし易くなり、清潔を保持させ易くなる。
尚、ケース１０を付帯位置Ｆに位置させたまま、刃体１を開けば、開口１１が上側に位置する刃体１（Ｂ）の厚さの分だけ開くことになるので、この状態でも、ケース１０内の切屑を捨てることが可能である。
そしてまた、ケース１０の離間位置Ｒで、上記のように、はさみＳの刃体１同士を開けば、図５に示すように、上側に位置する刃体１（Ｂ）がケース１０の当接部１６に当接して、ケース１０を押圧し、離間位置Ｒから付帯位置Ｆに位置させる。これにより、再び、使用の用に供せられる。
【００１８】
図７には、第二の実施の形態に係るはさみ用切屑収納具Ｋを示している。この実施の形態に係るはさみ用切屑収納具Ｋが適用されるはさみＳは、上記と略同様であるが、上記と異なって、把持部３の回動軸４側には、凹所５が設けられていない。
第二の実施の形態に係るはさみ用切屑収納具Ｋは、上記第一の実施の形態と略同様に形成されているが、第一の実施の形態と異なる点は、ストッパ２０の構造である。
ストッパ２０は、ケース１０の基端部に突設された係合部１３の下側の突片１４に撓み可能に延設された舌片２１と、舌片２１に突設されケース１０の付帯位置Ｆにおける舌片２１の非撓み時に、はさみＳの側端に係止されるとともに、舌片２１の外側への撓み時に、係止解除される突出部２２とを備えて構成されている。
この第二の実施の形態に係るはさみ用切屑収納具Ｋにおいても、第一の実施の形態に係るはさみ用切屑収納具Ｋと同様の作用，効果を奏する。
【００１９】
図８には、第三の実施の形態に係るはさみ用切屑収納具Ｋを示している。第三の実施の形態に係るはさみ用切屑装置は、上記第一の実施の形態と略同様に形成されているが、第一の実施の形態と異なる点は、ストッパ２０の構造である。
ストッパ２０は、はさみＳの下側に位置する刃体１（Ａ）に外側に撓み可能に固定された舌片２１と、舌片２１に突設されケース１０の付帯位置Ｆにおける舌片２１の非撓み時にケース１０の突片１４に延設した延設部１７に係止されるとともに、舌片２１の外側への撓み時に係止解除される突出部２２とを備えて構成されている。
この第三の実施の形態に係るはさみ用切屑収納具Ｋにおいても、第一の実施の形態に係るはさみ用切屑収納具Ｋと同様の作用，効果を奏する。
【００２０】
尚、上記実施の形態では、乳幼児の爪切用のはさみＳに用いる場合で説明したが、必ずしもこれに限定されるものではなく、種々のはさみに適用して良いことは勿論である、
【００２１】
【発明の効果】
以上説明したように、本発明のはさみ用切屑収納具によれば、ケースをはさみに付帯させる付帯位置及び離間位置の二位置に移動可能になるように回動軸に回動可能に係合させるようにしたので、係合部をはさみの回動軸に係合させるだけで装着できることから、容易にはさみに装着することができる。特に、はさみの材質が磁着性でなくても容易に装着することができる。
そして、ストッパによってケースを付帯位置に解除可能に保持するようにしたので、はさみの開閉動作中に手がケースに触れる等しても、容易に動くことがなく、そのため、ケースの開口位置がずれて、切屑がうまくケース内に入らずに周辺に飛び散ってしまう事態を防止することができ、切屑を確実に受けてケース内に収納させることができる。
【００２２】
また、ケースの付帯位置における回動軸の軸線に直交する平面図上、ケースの開口縁の上側縁に対応する線（Ｐ）が、下側に位置する刃体の切断刃よりも該下側に位置する刃体の切断刃と反対側の背部側に位置するように形成したので、切断された切屑が切断刃と開口縁との間に挟まりにくく、そのため、切屑を確実に受けてケース内に収納させることができる。
更に、ケースの下面を、下側に位置する刃体の背部に隣接する下側の外面に沿う面より下方に突出しないように形成した場合には、はさみの開閉動作によって爪の周囲の指に引っ掛かることがなく、円滑に開閉動作を行なわせることができる。
【００２３】
更にまた、ストッパを、ケースに撓み可能に延設された舌片と、舌片に突設され上記ケースの付帯位置において舌片の非撓み時にはさみに係止され撓み時に係止解除される突出部とを備えて構成した場合には、簡易な構造でケースを押えることができる。
また、上記ストッパを、はさみに撓み可能に設けられた舌片と、舌片に突設されケースの付帯位置において舌片の非撓み時にケース側に係止され撓み時に係止解除される突出部とを備えて構成した場合には、簡易な構造でケースを押えることができる。
【００２４】
更に、ケースに、ケースの離間位置において、はさみの刃体が開いたとき、上側に位置する刃体によって押圧されて、ケースが付帯位置に位置させられる当接部を設けた場合には、はさみを開くだけでケースを付帯位置に容易に位置させることができ、取付け作業を極めて容易に行なうことができる。
また、ケースを、透明もしくは半透明の材料で形成した場合には、切屑の収納量を目視で知ることができ、容易に、捨てる時期を知ることができる。
【図面の簡単な説明】
【図１】本発明の第一の実施の形態に係るはさみ用切屑収納具をこれが適用されるはさみとともに示す斜視図である。
【図２】本発明の実施の形態に係るはさみ用切屑収納具を示す図であり、（ａ）は正面図、（ｂ）は背面図，（ｃ）は底面図，（ｄ）は平面図である。
【図３】本発明の実施の形態に係るはさみ用切屑収納具の装着状態を示す図であり、（ａ）は正面図、（ｂ）は背面図，（ｃ）は底面図，（ｄ）は平面図である。
【図４】本発明の実施の形態に係るはさみ用切屑収納具の装着状態を示す図であり、（ａ）は図３（ｄ）中Ａ−Ａ線断面図、（ｂ）は図３（ｄ）中Ｂ−Ｂ線断面図，（ｃ）は図３（ｄ）中Ｃ−Ｃ線断面図である。
【図５】本発明の実施の形態に係るはさみ用切屑収納具の作用を示す図であり、（ａ）は付帯位置におけるはさみを開いたときの底面図，（ｂ）は付帯位置におけるはさみを開いたときの平面図である。
【図６】本発明の実施の形態に係るはさみ用切屑収納具の作用を示す図であり、（ａ）は離間位置における底面図，（ｂ）は離間位置における平面図である。
【図７】本発明の第二の実施の形態に係るはさみ用切屑収納具をこれが適用されるはさみとともに示す斜視図である。
【図８】本発明の第三の実施の形態に係るはさみ用切屑収納具をこれが適用されるはさみとともに示す斜視図である。
【符号の説明】
Ｋ  はさみ用切屑収納装置
Ｓ  はさみ
１  刃体
１（Ａ）  下側に位置する刃体
１（Ｂ）  上側に位置する刃体
１ａ  外面
２  切断刃
３  把持部
４  回動軸
５  凹所
６  背部
１０  ケース
１１  開口
１１ａ  上側縁
１１ｂ  下側縁
１２  下面
１３  係合部
１４  突片
１５  係合孔
１６  当接部
Ｆ  付帯位置
Ｒ  離間位置
２０  ストッパ
２１  舌片
２２  突出部
２３  樹脂ヒンジ
【図１】
0003683349.tif 000002
【図２】
0003683349.tif 000003
【図３】
0003683349.tif 000004
【図４】
0003683349.tif 000005
【図５】
0003683349.tif 000006
【図６】
0003683349.tif 000007
【図７】
0003683349.tif 000008
【図８】
0003683349.tif 000009